(57)【要約】【課題】  子機に放送を報音する機能及び応答する機能を備え、更に応答する人と子機との距離が離れていても良好に応答することが可能な業務用インターホンシステムを提供する。【解決手段】  子機２には、子機スピーカ２２を補う外部スピーカ４、及び子機マイク２３を補う外部マイク５が伝送線Ｌ４，Ｌ５を介して夫々接続され、放送を受けて操作部２１が応答操作されたら、子機ＣＰＵ２９は子機スピーカ２２及び子機マイク２３と親機１との間で通話路を形成する第１通話路形成動作、或いは外部スピーカ４及び外部マイク５と親機１との間で通話路を形成する第２通話路形成動作の何れか一方の動作を、子機２に設けた人感センサ２８の感知信号を基に選択する。【選択図】  図１
2011097281.tif 000002
【特許請求の範囲】
【請求項１】
通話するための送話部及び受話部を具備する親機と子機とを備え、前記親機は前記子機を呼び出して通話する機能、及び子機の送話部を使用して報音する放送機能を有する一方、前記子機は前記親機からの呼び出しに応答する機能を有し、
前記親機及び前記子機のうち少なくとも一方が複数であって、前記親機と子機の間の通話や放送を制御する制御機を介して前記親機及び前記子機が接続されて成る業務用インターホンシステムであって、
前記子機は、前記放送に対して応答するための応答手段を有すると共に、子機の送話部を補うための外部スピーカ、及び子機の受話部を補うための外部マイクが伝送線を介して夫々接続され、
更に前記子機は、放送を受けて前記応答手段が操作されたら、子機の送話部及び受話部と前記親機との間で通話路を形成する第１通話路形成動作、或いは前記外部スピーカ及び外部マイクと前記親機との間で通話路を形成する第２通話路形成動作の何れか一方の動作を、所定の条件により選択する切換制御部を備えたことを特徴とする業務用インターホンシステム。
【請求項２】
前記子機は、人物の接近を検知する人感センサを有し、
前記切換制御部は、前記人感センサが人物を感知したときは、前記第１通話路形成動作を実施し、感知しない場合は前記第２通話路形成動作を実施することを特徴とする請求項１記載の業務用インターホンシステム。
【請求項３】
前記子機は、子機の受話部の音声入力レベルと前記外部マイクの音声入力レベルを比較するレベル比較部を備え、
前記切換制御部は、前記レベル比較部の比較結果に基づき、前記子機マイクのレベルが大きければ前記第１通話路形成動作を実施し、前記外部マイクのレベルが大きければ前記第２通話路形成動作を実施することを特徴とする請求項１記載の業務用インターホンシステム。
【請求項４】
前記切換制御部は、放送と前記第２通話路形成動作とで、外部スピーカの音量を変更制御し、第２話路形成動作時の音量を放送より小さくすることを特徴とする請求項１乃至３の何れかに記載の業務用インターホンシステム。
【請求項５】
前記子機に、子機を介して前記親機を呼び出すための外部呼出ボタンを伝送線を介して接続したことを特徴とする請求項１乃至４の何れかに記載の業務用インターホンシステム。
【請求項６】
通話するための送話部及び受話部を具備する親機と子機とを備え、前記親機は前記子機を呼び出して通話する機能、及び子機の送話部を使用して報音する放送機能を有する一方、前記子機は前記親機からの呼び出しに応答する機能を有し、
前記親機及び前記子機のうち少なくとも一方が複数であって、前記親機と子機の間の通話や放送を制御する制御機を介して前記親機及び前記子機が接続されて成る業務用インターホンシステムであって、
前記子機は、前記放送に対して応答するための応答手段を有すると共に、子機の送話部を補うための外部スピーカが伝送線を介して接続され、
更に前記子機は、放送を受けて前記応答手段が操作されたら、子機の送話部及び受話部と前記親機との間で通話路を形成する第１通話路形成動作、或いは前記外部スピーカ及び子機の受話部と前記親機との間で通話路を形成する第２通話路形成動作の何れか一方の動作を、所定の条件により選択する切換制御部を備えたことを特徴とする業務用インターホンシステム。
【請求項７】
前記子機は、人物の接近を検知する人感センサを有し、
前記切換制御部は、前記人感センサが人物を感知したときは、前記第１通話路形成動作を実施し、感知しない場合は前記第２通話路形成動作を実施することを特徴とする請求項６記載の業務用インターホンシステム。
【請求項８】
前記切換制御部は、前記第１通話路形成動作と前記第２通話路形成動作で子機の受話部の感度を変更し、前記第２通話路形成動作を選択した場合は、前記第１通話路形成動作時に比べて前記受話部の感度を上げることを特徴とする請求項６又は７記載の業務用インターホンシステム。
【請求項９】
前記切換制御部は、放送と前記第２通話路形成動作とで、前記外部スピーカの音量を変更制御し、通話路形成動作時の外部スピーカ音量を放送より小さくすることを特徴とする請求項６乃至８の何れかに記載の業務用インターホンシステム。
【発明の詳細な説明】
【技術分野】
【０００１】
本発明は、インターホンシステムに関し、特に放送機能を備えた業務用インターホンシステムに関する。
【背景技術】
【０００２】
インターホンシステムにおいて、放送機能を備えたものに特許文献１に記載されたシステムがある。これは、エントランスに設置されて居室親機を選択して呼び出すための集合玄関機や、管理室に設置されて居室親機等と通話するための管理室親機を備えた集合住宅インターホンシステムであって、管理室親機から居室親機に対して一斉放送が可能となっている。
一方で、オフィスや学校或いは工場向けの業務用インターホンシステムがある。これは、玄関等に設置されて、来訪者が施設内に設置された親機を呼出操作するための玄関子機に加えて、親機からの呼び出しに対して呼び出された人（以下、「被呼者」とする。）が応答（トークバック）する機能を備えた子機を施設内に設けて構成され、親機から放送による呼び出しが実施されると、子機や他の親機で放送され、子機や他の親機から応答することができるよう構成されている（例えば、非特許文献１参照）。
【先行技術文献】
【特許文献】
【０００３】
【特許文献１】特開２００９−３８４４１号公報
【非特許文献】
【０００４】
【非特許文献１】アイホン株式会社発行  「２００８−２００９総合カタログ」  ｐ．５３９−５４３
【発明の概要】
【発明が解決しようとする課題】
【０００５】
上記特許文献１の集合住宅インターホンシステムは、居室親機から放送が報音されるが、集合玄関に設置された集合玄関機や住戸毎に設置された玄関子機から放送が報音されることはなかった。
一方、上記従来の業務用インターホンシステムにおいては、放送操作により子機から放送が報音されるし応答することはできた。しかしながら、子機に備えられたスピーカ及びマイクは、子機の前にいる人が通話する為に設けられており、スピーカは天井等に設置される放送用の外部スピーカに比べて音量は小さいし、マイクは近くの音しか収音せず感度が低い。そのため、応答する被呼者が子機から離れると子機のマイクが収音する音声が小さくなって親機側で聞き取り難くなったし、応答者も周囲のノイズにより子機のスピーカから報音される音声が聞き取り難くなった。
【０００６】
そこで、本発明はこのような問題点に鑑み、子機に放送を報音する機能及び応答する機能を備えると共に、応答者と子機との距離が離れても良好に応答することが可能な業務用インターホンシステムを提供することを目的としている。
【課題を解決するための手段】
【０００７】
上記課題を解決する為に、請求項１の発明は、通話するための送話部及び受話部を具備する親機と子機とを備え、親機は子機を呼び出して通話する機能、及び子機の送話部を使用して報音する放送機能を有する一方、子機は親機からの呼び出しに応答する機能を有し、親機及び子機のうち少なくとも一方が複数であって、親機と子機の間の通話や放送を制御する制御機を介して親機及び子機が接続されて成る業務用インターホンシステムであって、子機は、放送に対して応答するための応答手段を有すると共に、子機の送話部を補うための外部スピーカ、及び子機の受話部を補うための外部マイクが伝送線を介して夫々接続され、更に子機は、放送を受けて応答手段が操作されたら、子機の送話部及び受話部と親機との間で通話路を形成する第１通話路形成動作、或いは外部スピーカ及び外部マイクと親機との間で通話路を形成する第２通話路形成動作の何れか一方の動作を、所定の条件により選択する切換制御部を備えたことを特徴とする。
この構成によれば、子機内蔵の送話部に加えて放送に適した外部スピーカを連動させて報音させることで、送話部でカバーできない範囲まで放送することができ、被呼者が子機から離れた場所にいた場合でも放送を認識し易くなる。そして、条件により通話に使用するスピーカとマイク等の組が変更されるので、通話する両者が聞き取りやすい方の組を使用するよう条件設定して制御させることで、騒音の大きい環境であってもスムーズな通話を実現でき利便性が良い。
【０００８】
請求項２の発明は、請求項１に記載の構成において、子機は、人物の接近を検知する人感センサを有し、切換制御部は、人感センサが人物を感知したときは、第１通話路形成動作を実施し、感知しない場合は第２通話路形成動作を実施することを特徴とする。
この構成によれば、人感センサにより被呼者の子機からの距離を判断して第１通話路形成動作と第２通話路形成動作を切り換えるため、通話に適した組合せの選択を良好に実施できる。
【０００９】
請求項３の発明は、請求項１に記載の構成において、子機は、子機の受話部の音声入力レベルと外部マイクの音声入力レベルを比較するレベル比較部を備え、切換制御部は、レベル比較部の比較結果に基づき、子機マイクのレベルが大きければ第１通話路形成動作を実施し、外部マイクのレベルが大きければ第２通話路形成動作を実施することを特徴とする。
この構成によれば、外部マイクからの入力レベルが大きいときは外部マイクを使用し、子機の受話部からの入力レベルが大きいときは受話部を使用するため、通話音声のＳ／Ｎ比を改善することができる。
【００１０】
請求項４の発明は、請求項１乃至３の何れかに記載の構成において、切換制御部は、放送と第２通話路形成動作とで、外部スピーカの音量を変更制御し、第２話路形成動作時の音量を放送より小さくすることを特徴とする。
この構成によれば、外部スピーカの音量が使用目的により変更され、外部スピーカを使用する通話時は放送よりも音量が小さくなるため、周囲に対する騒音を抑制できるし、応答する被呼者も大音量によるストレスが無くなる。
【００１１】
請求項５の発明は、請求項１乃至４の何れかに記載の構成において、子機に、子機を介して親機を呼び出すための外部呼出ボタンを伝送線を介して接続したことを特徴とする。
この構成によれば、子機から離れた場所からでも子機の機能を利用して親機を呼び出すことができるので便利であるし、子機を別途設けるほどのコストを必要としないので安価に構成できる。
【００１２】
請求項６の発明は、通話するための送話部及び受話部を具備する親機と子機とを備え、親機は子機を呼び出して通話する機能、及び子機の送話部を使用して報音する放送機能を有する一方、子機は親機からの呼び出しに応答する機能を有し、親機及び子機のうち少なくとも一方が複数であって、親機と子機の間の通話や放送を制御する制御機を介して親機及び子機が接続されて成る業務用インターホンシステムであって、子機は、放送に対して応答するための応答手段を有すると共に、子機の送話部を補うための外部スピーカが伝送線を介して接続され、更に子機は、放送を受けて応答手段が操作されたら、子機の送話部及び受話部と親機との間で通話路を形成する第１通話路形成動作、或いは外部スピーカ及び子機の受話部と親機との間で通話路を形成する第２通話路形成動作の何れか一方の動作を、所定の条件により選択する切換制御部を備えたことを特徴とする。
この構成によれば、子機内蔵の送話部に加えて放送に適した外部スピーカを連動させて報音させることで、報音部でカバーできない範囲まで放送することができ、子機から離れた場所に被呼者が居ても放送内容を認識し易くなる。そして、条件により通話に使用するスピーカが切り替わるので、応答する人物が聞き取りやすい方のスピーカを使用するよう条件設定して制御させることで、騒音の大きい環境であってもスムーズな通話を実現でき利便性が良い。
【００１３】
請求項７の発明は、請求項６に記載の構成において、子機は、人物の接近を検知する人感センサを有し、切換制御部は、人感センサが人物を感知したときは、第１通話路形成動作を実施し、感知しない場合は第２通話路形成動作を実施することを特徴する。
この構成によれば、人感センサにより被呼者の子機からの距離を判断して第１通話路形成動作と第２通話路形成動作を切り換えるため、通話に適した組合せの選択を良好に実施できる。
【００１４】
請求項８の発明は、請求項６又は７に記載の構成において、切換制御部は、第１通話路形成動作と第２通話路形成動作で子機の受話部の感度を変更し、第２通話路形成動作を選択した場合は、第１通話路形成動作時に比べて受話部の感度を上げることを特徴とする。
この構成によれば、被呼者が子機から離れている場合は、受話部の感度が上がるので、放送元の親機へ伝送される音声が小さくて聞き取り難い事態を防止できる。
【００１５】
請求項９の発明は、請求項６乃至８の何れかに記載の構成において、切換制御部は、放送と第２通話路形成動作とで、外部スピーカの音量を変更制御し、通話路形成動作時の外部スピーカ音量を放送より小さくすることを特徴とする。
この構成によれば、外部スピーカの音量が使用目的により変更され、外部スピーカを使用する通話時は放送よりも音量が小さくなるため、周囲に対する騒音を抑制できるし、応答する被呼者も大音量によるストレスが無くなる。
【発明の効果】
【００１６】
本発明によれば、子機内蔵の送話部に加えて放送に適した外部スピーカを連動させて報音させることで、送話部でカバーできない範囲まで放送することができ、被呼者が子機から離れた場所にいた場合でも放送を認識し易くなる。そして、条件により通話に使用するスピーカとマイクの組を変更するので、通話する両者が聞き取りやすい方の組を使用するよう条件設定して制御させれば、騒音の大きい環境であってもスムーズな通話を実現でき利便性が良い。
【図面の簡単な説明】
【００１７】
【図１】本発明に係る業務用インターホンシステムの第１の形態を示し、個々の機器をブロック図で示した構成図である。
【図２】図１の業務用インターホンシステムの応答機能の説明図である。
【図３】業務用インターホンシステムの第２の形態を示す構成図である。
【図４】業務用インターホンシステムの第３の形態を示す構成図である。
【発明を実施するための形態】
【００１８】
以下、本発明を具体化した実施の形態を、図面に基づいて詳細に説明する。図１は、本発明に係る業務用インターホンシステムの第１の形態を示す構成図であり、機器の要部回路をブロック図で示している。この業務用インターホンシステムは、オフィスや学校、工場等の施設で使用されるシステムであり、以下学校に設置された場合を想定して説明する。
１は職員室等に設置され、教室にいる教員や職員を呼び出す際に使用する親機、２は個々の教室に設置されて親機１からの呼び出しに応答するための子機、３は親機１と子機２の間の通話や放送を制御する制御機、４は教室の天井等に設置された外部スピーカ、５は同様に教室の天井等に設置された外部マイク、６は親機１を呼び出すために設置された外部呼出ボタンである。尚、ここでは１台の親機１と２台の子機２を備えた構成を示し、２台の子機２は同様の構成であるため、１台のみ回路ブロックを示している。
【００１９】
そして、親機１、子機２は夫々伝送線Ｌ１，Ｌ２により制御機３に接続され、外部スピーカ４、外部マイク５、外部呼出ボタン６は夫々伝送線Ｌ３，Ｌ４，Ｌ５により子機２に接続されている。
【００２０】
親機１は、放送や呼び出し等各種操作をするための操作部１１、放送や通話に使用する親機スピーカ１２及び親機マイク１３、親機スピーカ１２及び親機マイク１３を制御する通話部１４、親機１全体を制御する親機ＣＰＵ１５、制御機３と通信するための親機通信部１６等を備えている。
【００２１】
子機２は、親機１を呼び出したり応答する際に操作する操作部２１、放送を報音し、また親機１と通話を行うための子機スピーカ２２、親機１と通話するための子機マイク２３、子機スピーカ２２及び子機マイク２３、更に外部スピーカ４及び外部マイク５を制御する通話部２４、外部スピーカ４を接続する外部送話部２５、外部マイク５を接続する外部受話部２６、外部呼出ボタン６を接続する汎用入力部２７、人物が近くに居ることを検出する人感センサ２８、子機２全体を制御する子機ＣＰＵ２９、制御機３と通信するための子機通信部３０等を備えている。
【００２２】
制御機３は、接続機器の呼出信号や放送の処理や、通話路の接続／切断を行う制御機通信部３２、制御機全体を制御する制御機ＣＰＵ３３等を備えている。
【００２３】
上記の如く構成された業務用インターホンシステムは次のように動作する。以下、機能別に説明し、まず放送により呼び出す場合の動作を説明する。所在が不明な教職員等と連絡を取りたい場合は放送による呼び出しが成される。
【００２４】
＜放送呼び出しによる動作＞
職員室の教員や職員等により親機１の操作部１１で所定の放送操作が成されると、親機ＣＰＵ１５が放送開始信号を生成し、親機通信部を１６介して制御機３へ伝送される。制御機通信部３２でこの放送開始信号を受信した制御機３は、制御機ＣＰＵ３３が制御機通信部３２を制御して、放送音声を伝送するための通話路形成信号を親機１及び２台の子機２へ伝送する。併せて制御機通信部３２を制御して、親機１からの放送音声を各子機２へ伝送できるように制御機３内の通話路を形成する。
【００２５】
通話路形成信号を子機通信部３０で受信した子機２は、親機１から伝送された音声信号を放送するために、子機ＣＰＵ２９が通話部２４を制御して子機スピーカ２２及び外部スピーカ４を能動状態とし、子機通信部３０と子機スピーカ２２の間、及び子機通信部３０と外部スピーカ４の間の通話路を形成する。
一方、通話路形成信号を親機通信部１６で受信した親機１は、親機マイク１３が収音した音声信号を子機２へ伝送するために、親機ＣＰＵ１５が通話部１４を制御して親機マイク１３を能動状態とし、親機マイク１３から親機通信部１６までの通話路を形成する。更に、親機ＣＰＵ１５は予告音を生成して通話部１４、親機通信部１６を介して出力する。この予告音は、通話路が形成された制御機３、子機２の通話部２４を介して、子機スピーカ２２及び外部スピーカ４で報音される。
【００２６】
こうして親機１から各子機２に放送のための通話路が形成されて、親機１の親機マイク１３が収音した放送操作者の音声信号が通話部１４、親機通信部１６、制御機３を介して、子機２へ伝送される。子機２へ伝送された音声信号は、通話部２４を介して子機スピーカ２２及び外部送話部２５を介し外部スピーカ４へ伝送され、子機スピーカ２２と外部スピーカ４とで報音される。
【００２７】
この放送を聞いた被呼者の応答は以下のように行われる。被呼者が何れかの子機２の操作部２１で応答操作すると、応答操作された子機ＣＰＵ２９は、応答信号を生成して子機通信部３０を介して制御機３へ伝送する。
制御機通信部３２で応答信号を受信した制御機３は、制御機ＣＰＵ３３が通話路を形成するための通話路形成信号を、制御機通信部３２を介して親機１及び子機２へ伝送する。併せて、制御機通信部３２を制御して応答操作された子機２と親機１の間の制御機３内の通話路を形成する。
この通話路形成信号を親機通信部１６で受信した親機１は、親機ＣＰＵ１５が通話部１４を制御して親機スピーカ１２を能動状態とし、親機通信部１６と親機スピーカ１２の間の通話路を形成する。
【００２８】
一方、この通話路形成信号を子機通信部３０で受信した子機２は、子機ＣＰＵ２９が通話部２４を制御して、子機スピーカ２２及び子機マイク２３を使用した子機通信部３０までの通話路、或いは外部スピーカ４及び外部マイク５を使用した子機通信部３０までの通話路を人感センサ２８からの信号を基に選択して形成する。
具体的に子機ＣＰＵ２９は、人感センサ２８から感知信号を入手している状態、即ち子機２の近くに被呼者がいる状態では、子機スピーカ２２及び子機マイク２３を能動状態として、子機スピーカ２２及び子機マイク２３から子機通信部３０までの通話路を形成する（第１通話路形成動作）。そして、人感センサ２８から感知信号を入手しない状態、即ち子機２から被呼者が離れている状態では、外部スピーカ４及び外部マイク５を能動状態として、外部スピーカ４及び外部マイク５から子機通信部３０までの通話路を形成する（第２通話路形成動作）。
【００２９】
こうして、親機１からの放送を受けて子機２が応答操作されると、応答操作された子機２と親機１の間で通話路が形成されて応答及び通話が可能となる。尚、子機ＣＰＵ２９は、第２通話路形成動作を実施する場合、通話部２４を介して外部送話部２５を制御し、外部スピーカ４が報音する音量を変更する。具体的に、放送時の音量より通話時の音量を小さくする。また、親機１により操作部１１を所定の終話操作すると、形成された通話路は切断される。
【００３０】
図２は、被呼者と子機２、そして外部スピーカ４、外部マイク５との位置関係を示す説明図であり、Ｐが被呼者を表している。この図に示すように、例えば被呼者Ｐが子機２から３０ｃｍ程度の距離にいる場合は、人感センサ２８が感知動作するため、子機ＣＰＵ２９は子機２の子機スピーカ２２、子機マイク２３を選択して通話に使用される。そして、例えば１ｍ離れていれば人感センサ２８は感知動作しないことにより、子機ＣＰＵ２９は外部スピーカ４及び外部マイク５を選択して通話に使用する。
尚、外部スピーカ４、外部マイク５は天井に設置され、図２では被呼者Ｐと外部スピーカ４及び外部マイク５は通常３ｍ以上離れた状態で使用されることを示している。
【００３１】
このように、子機２の子機スピーカ２２に加えて放送に適した外部スピーカ４が連動して動作して放送を報音するので、子機スピーカ２２でカバーできない範囲まで放送することができ、子機２から離れた場所に被呼者がいる場合でも放送内容を認識し易くなる。そして、人感センサ２８により被呼者の位置を判断し、子機スピーカ２２及び子機マイク２３を使用する第１通話路形成動作と、外部スピーカ４及び外部マイク５を使用する第２通話路形成動作の一方を選択するので、通話する両者が聞き取りやすい方の組を使用するよう制御し、騒音の大きい環境であってもスムーズな通話を実現でき利便性が良い。そして、人感センサ２８を使用することで、応答する被呼者の子機２からの距離を的確に把握できる。
更に、外部スピーカ４の音量が使用目的により変更され、外部スピーカ４を使用する通話時は放送時よりも音量が小さくなるため、周囲に対する騒音を抑制できるし、応答する被呼者も大音量によるストレスが無くなる。
【００３２】
＜外部呼出ボタンによる呼出動作＞
次に、外部呼出ボタン６を操作した場合の動作を説明する。外部呼出ボタン６は、子機１から離れた教室の後の方や、非常時用に教壇の隠れた場所に設置され、子機２を操作すること無く親機１を呼び出す際に使用される。
教室の教員等により外部呼出ボタン６が操作されると、汎用入力部２７を介して子機ＣＰＵ２９へ操作信号が伝送される。子機ＣＰＵ２９は、操作信号を受けて呼出信号を生成し、子機通信部３０を介して制御機３へ伝送する。
【００３３】
呼出信号を制御機通信部３２で受信した制御機３は、制御機ＣＰＵ３３の制御で呼出信号を親機１へ伝送する。そして、親機通信部１６で呼出信号を受信した親機１は、親機ＣＰＵ１５が通話部１４を制御して親機スピーカ１２から呼出音を報音させる。また、図示しない表示部を呼出表示動作させる。
【００３４】
この親機１の呼出音を認識した職員室の職員等が親機１の操作部１１で応答操作すると、その操作信号が親機ＣＰＵ１５を介して制御機３へ伝送される。この操作信号を制御機通信部３２で受信した制御機３は、制御機ＣＰＵ３３が通話の為の通話路形成信号を制御機通信部３２を介して親機１及び子機２へ伝送する。併せて、制御機通信部３２を制御し、呼出信号を送出した子機２と親機１の間の制御機３内の通話路を形成する。
【００３５】
通話路形成信号を子機通信部３０で受信した子機２は、子機ＣＰＵ２９が通話部２４を制御して外部スピーカ４及び外部マイク５を能動状態とし、子機通信部３０と外部スピーカ４の間の通話路、外部マイク５と子機通信部３０の間の通話路を形成する。一方、通話路形成信号を親機通信部１６で受信した親機１は、親機ＣＰＵ１５が親機スピーカ１２及び親機マイク１３を能動状態とし、親機通信部１６と親機スピーカ１２の間の通話路、親機マイク１３と親機通信部１６の間の通話路を形成する。こうして、外部呼出ボタン６の操作により、外部スピーカ４及び外部マイク５と親機１との間で通話路が形成され、双方の間で通話が可能となる。
【００３６】
このように、子機２から離れた場所からでも子機２の機能を利用して親機１を呼び出すことができるので便利であるし、子機２を別途設けるほどのコストを必要としないので安価に構成できる。
【００３７】
尚、この外部呼出ボタン６を操作した通話においても、子機ＣＰＵ２９は、人感センサ２８の感知信号を入手し、人物を感知しない状態では外部スピーカ４と外部マイク５を使用した通話路を形成し、人感センサ２８から感知信号を受信している状態では、子機スピーカ２２及び子機マイク２３を使用した通話路を形成するよう動作させても良く、よりＳ／Ｎ比の良い音声を伝送することができる。
【００３８】
＜子機操作による呼出動作＞
子機２を操作して親機１を呼び出す場合は以下のように実施される。子機２の操作部２１が所定の親機呼出操作されると、子機ＣＰＵ２９が呼出信号を生成し、親機通信部３０を介して制御機３へ伝送する。この呼出信号を受信した制御機ＣＰＵ３３は、呼出信号を親機１へ伝送する。
制御機３より呼出信号を受信した親機１は、親機ＣＰＵ１５が呼出音を生成して通話部１４を介して親機スピーカ１２から報音させるとともに、呼出表示(図示せず)を行う。
【００３９】
呼出音等で呼び出しを認識した職員等が親機１の操作部１１で応答操作すると、親機ＣＰＵ１５は応答信号を生成し、制御機３へ伝送する。この応答信号を受信した制御機ＣＰＵ３３は、通話路を形成する為に、通話路形成信号を親機１及び子機２へ伝送する。併せて、制御機通信部３２を制御し、呼出操作した子機２と親機１の間の制御機３内の通話路を形成する。
【００４０】
そして、通話路形成信号を受信した子機ＣＰＵ２９は、通話部２４を制御して子機スピーカ２２及び子機マイク２３を能動状態とし、子機通信部３０と子機スピーカ２２の間の通話路を形成すると共に、子機マイク２３と子機通信部３０の間の通話路を形成する。
一方、制御機３から通話路形成信号を受信した親機ＣＰＵ１５は、親機スピーカ１２及び親機マイク１３を能動状態とし、親機通信部１６と親機スピーカ１２の間の通話路を形成すると共に親機マイク１３と親機通信部１６の間の通話路を形成する。こうして、子機２から親機１を呼び出しでき、その後通話が可能となる。
【００４１】
尚、この子機２の操作部２１の操作による呼び出しにおいても、子機ＣＰＵ２９が人感センサ２８の感知信号を入手し、人物を感知しない状態では外部スピー４カと外部マイク５を使用した通話路を形成し、人物を感知している状態では子機スピーカ２２及び子機マイク２３を使用した通話路を形成しても良く、よりＳ／Ｎ比の良い音声を伝送することができる。
【００４２】
＜親機からの音声呼出動作＞
親機１から子機２を選択して子機２を音声呼び出しする場合の動作は次のようである。親機１の操作部１１を所定の音声呼出操作すると、親機ＣＰＵ１５は音声による呼び出しを実施するための選択呼出信号を生成し、制御機３へ伝送する。
この選択呼出信号を受信した制御機ＣＰＵ３３は、音声呼出の音声を伝送する為の通話路形成信号を制御機通信部３２を介して親機１及び選択された子機２へ伝送する。併せて、制御機通信部３２を制御し、呼出操作した親機１と呼出先の子機２の間の制御機３内の通話路を形成する。
【００４３】
通話路形成信号を受信した子機２は、呼び出しを報音し応答を可能とするために、子機ＣＰＵ２９が通話部２４を制御して子機スピーカ２２及び子機マイク２３を能動状態とし、子機通信部３０と子機スピーカ２２の間の通話路、子機マイク２３と子機通信部３０の間の通話路を形成する。
一方、通話路形成信号を受信した親機１は、親機ＣＰＵ１５が親機マイク１３が収音した音声信号を子機２へ伝送するために、通話部１４を制御して親機マイク１３と親機通信部１６の間の通話路を形成し、子機２からの音声信号を親機スピーカ１２から報音できるよう親機通信部１６と親機スピーカ１２の間の通話路を形成する。また、親機ＣＰＵ１５は予告音を生成して通話部１４、親機通信部１６、通話路が形成された制御機３を介して子機２へ伝送し、子機スピーカ２２から報音させる。
こうして通話路が形成されて、呼出操作者が発した音声が選択した子機２に伝送され、子機スピーカ２２から報音されるし、その後通話が実施可能となる。
【００４４】
このように、呼出先が明確な場合は、放送によらず呼出先を指定して音声呼出することで、通話することができる。
尚、この音声呼び出しによる通話においても、人感センサ２８を使用して人物を感知しない状態では外部スピーカ４と外部マイク５を使用した通話路を形成し、人物を感知している状態では子機スピーカ２２及び子機マイク２３を使用した通話路を形成しても良く、よりＳ／Ｎ比の良い音声を伝送することができる。
【００４５】
図３は本発明に係る業務用インターホンシステムの第２の形態を示す構成図であり、上記図１と同様に１台の親機１、２台の子機２ａを備えたシステムを示している。以下、この図３に基づいて第２の形態を説明する。尚、図１と同様の構成要素には同一の符号を付与して説明を省略する。また、親機１、制御機３の構成は上記図１と同様であるため説明を省略し、子機２ａの構成を具体的に説明する。
【００４６】
子機２ａは、上記図１の構成と同様に、操作部２１、子機スピーカ２２、子機マイク２３、通話部２４、外部送話部２５、外部受話部２６、汎用入力部２７、子機ＣＰＵ２９、子機通信部３０等を備え、外部スピーカ４、外部マイク５、外部呼出ボタン６が接続されている。
但し、子機ＣＰＵ２９は、子機マイク２３の音声入力レベルと外部マイク５の音声入力レベルを比較するレベル比較部２９ａを備え、音声入力レベルの比較結果を基に上記第１通話路形成動作と第２通話路形成動作との選択制御を実施する。そして、人感センサを設けていない。
【００４７】
そして、この実施の形態においても、上記第１の形態と同様に、親機１からの放送呼び出し、外部呼出ボタン６による呼び出し、子機２ａの操作による呼び出し、親機１からの音声呼び出しを実施するし、子機２ａ側の通話路形成動作においては、第１通話路形成動作と第２通話路形成動作を選択する。
以下、本発明の要部である放送呼び出しによる動作を具体的に説明する。親機１の操作部１１で所定の放送操作が成されると、親機ＣＰＵ１５が放送開始信号を生成し、制御機３へ伝送する。制御機ＣＰＵ３３は放送開始信号を受けて、制御機通信部３２を制御して放送音声を伝送するための通話路形成信号を親機１及び２台の子機２ａへ伝送する。併せて制御機通信部３２を制御して、親機１からの放送音声を各子機２ａへ伝送できるように制御機３内の通話路を形成する。
【００４８】
通話路形成信号を受信した子機２ａは、親機１から伝送された音声信号を放送するために、子機ＣＰＵ２９が通話部２４を制御して子機通信部３０と子機スピーカ２２の間の通話路を形成すると共に、子機通信部３０から外部スピーカ４までの通話路を形成する。
また、通話路形成信号を受信した親機１は、親機マイク１３が収音した音声信号を子機２ａへ伝送するために、親機ＣＰＵ１５が通話部１４を制御して親機マイク１３と親機通信部１６の間の通話路を形成する。更に、親機ＣＰＵ１５は、予告音を生成して子機２ａへ出力する。予告音は、通話部１４、親機通信部１６、通話路が形成された制御機３を介して子機２ａへ伝送され、子機スピーカ２２及び外部スピーカ４で報音される。
【００４９】
こうして親機１から各子機２ａに放送のための通話路が形成されて、親機マイク１３が収音した放送操作者の音声信号が通話部１４、親機通信部１６、制御機３を介して、子機２ａへ伝送される。子機２ａへ伝送された音声信号は、通話部２４を介して子機スピーカ２２及び外部送話部２５を介し外部スピーカ４へ伝送され、子機スピーカ２２と外部スピーカ４とで報音される。
【００５０】
この放送による呼び出しを聞いた被呼者の応答は以下のように行われる。被呼者が何れかの子機２ａの操作部２１で応答操作すると、応答操作された子機ＣＰＵ２９は、応答信号を生成して子機通信部３０を介して制御機３へ伝送する。
制御機通信部３２で応答信号を受信した制御機３は、制御機ＣＰＵ３３が通話路を形成するための通話路形成信号を、制御機通信部３２を介して親機１及び子機２ａへ伝送すると共に、制御機通信部３２を制御して応答操作した子機２ａと親機１の間の制御機３内の通話路を形成する。
この通話路形成信号を受信した親機１は、親機ＣＰＵ１５が通話部１４を制御して親機スピーカ１２を能動として親機通信部１６と親機スピーカ１２の間の通話路を形成する。
【００５１】
一方、この通話路形成信号を受信した子機２ａは、子機ＣＰＵ２９が通話部２４を制御して子機マイク２３及び外部マイク５を能動状態として、双方が収音した音声信号を入手する。そして、レベル比較部２９ａが双方の音声信号レベルを比較する。
子機ＣＰＵ２９は、このレベル比較部２９ａの比較結果に基づいて、子機スピーカ２２及び子機マイク２３を使用した第１通話路形成動作と、外部スピーカ４及び外部マイク５を使用した第２通話路形成動作とを選択制御する。
具体的に、レベル比較部２９ａが子機マイク２３の入力レベルが外部マイク５の入力レベルより大きいと判断したら、第１通話路形成動作を実施し、外部マイク５の入力レベルの方が大きいと判断したら、第２通話路形成動作を実施する。
こうして、親機１からの放送を受けて子機２ａを操作すると応答操作された子機２ａと親機１の間で通話路が形成され応答が可能となり、双方の間で通話が実施される。
【００５２】
このように、子機スピーカ２２に加えて外部スピーカ４が連動して放送を報音するので、子機スピーカ２２でカバーできない範囲まで放送することができ、被呼者が子機２ａから離れた場所にいた場合でも放送を認識し易くなる。そして、外部マイク５からの入力レベルが大きいときは外部マイク５を使用し、子機マイク５からの入力レベルが大きいときは子機マイクを使用するため、通話する両者が聞き取りやすい方の組を使用するよう制御でき、通話音声のＳ／Ｎ比を改善できる。よって、騒音の大きい環境であってもスムーズな通話を実現でき利便性が良い。
【００５３】
図４は本発明に係る業務用インターホンシステムの第３の形態を示す構成図であり、上記図１と同様に１台の親機１、２台の子機２ｂを備えたシステムを示している。以下、この図４に基づいて第３の形態を説明する。尚、親機１、制御機３の構成は図１と同様であるため説明を省略し、子機２の構成のみ説明する。また、上記図１と同様の構成要素には同一の符号を付与してある。
【００５４】
子機２ｂは、図４に示すように、親機１を呼び出したり応答する際に操作する操作部２１、放送を報音し、また親機１と通話を行うための子機スピーカ２２、親機１と通話するための子機マイク２３、子機スピーカ２２及び子機マイク２３、更に外部スピーカ４を制御する通話部２４、外部スピーカ４を接続する外部送話部２５、人物が近くに居ることを検出する人感センサ２８、子機２全体を制御する子機ＣＰＵ２９、制御機３と通信するための子機通信部３０等を備えている。
【００５５】
そして、この実施の形態においても上記第１の形態と同様に、親機１からの放送呼び出し、子機２ｂの操作による呼び出し、親機１からの子機２ｂの音声呼び出しを実施できるが、以下、本発明の要部である、放送呼び出しによる動作を具体的に説明する。
親機１が放送操作されると、親機ＣＰＵ１５が放送開始信号を生成し、制御機３へ伝送される。放送開始信号を受信した制御機３は、制御機ＣＰＵ３３が制御機通信部３２を制御して、放送音声を伝送するための通話路形成信号を親機１及び２台の子機２ｂへ伝送する。併せて制御機通信部３２を制御して、親機１からの放送音声を各子機２ｂへ伝送できるように制御機３内の通話路を形成する。
【００５６】
通話路形成信号を受信した子機２ｂは、子機ＣＰＵ２９が通話部２４を制御して、子機通信部３０と子機スピーカ２２の間の通話路、及び子機通信部３０と外部スピーカ４の間の通話路を形成する。
また、通話路形成信号を受信した親機１は、親機ＣＰＵ１５が通話部１４を制御して、親機マイク１３と親機通信部１６の間の通話路を形成し、予告音を生成して子機２ｂへ出力する。予告音は、通話路が形成された制御機３、子機２ｂの通話部２４を介して子機スピーカ２２及び外部スピーカ４で報音される。
【００５７】
こうして親機１から各子機２ｂに対して放送のための通話路が形成されて、親機マイク１３が収音した放送操作者の音声信号が通話部１４、親機通信部１６、制御機３を介して、子機２ｂへ伝送される。子機２ｂへ伝送された音声信号は、通話部２４を介して子機スピーカ２２及び外部送話部２５を介し外部スピーカ４へ伝送され、子機スピーカ２２と外部スピーカ４とで報音される。
【００５８】
この放送を聞いた被呼者の応答は以下のように行われる。被呼者が何れかの子機２ｂの操作部２１で応答操作すると、応答操作された子機ＣＰＵ２９は、応答信号を生成して子機通信部３０を介して制御機３へ伝送する。
応答信号を受信した制御機３は、制御機ＣＰＵ３３が通話路を形成するための通話路形成信号を、制御機通信部３２を介して親機１及び子機２ｂへ伝送する。併せて、制御機通信部３２を制御して応答操作された子機２ｂと親機１の間の制御機３内の通話路を形成する。
この通話路形成信号を受信した親機１は、親機ＣＰＵ１５が通話部１４を制御して親機スピーカ１２を能動状態とし、親機通信部１６と親機スピーカ１２の間の通話路を形成する。
【００５９】
一方、この通話路形成信号を受信した子機２ｂは、人感センサ２８からの信号を基に子機ＣＰＵ２９が通話部２４を制御して、子機スピーカ２２及び子機マイク２３を使用した子機通信部３０までの通話路、或いは外部スピーカ４及子機マイク２３を使用した子機通信部３０までの通話路を形成する。
具体的に子機ＣＰＵ２９は、人感センサ２８から感知信号を入手している状態、即ち子機２ｂの近くに被呼者がいる状態では、子機スピーカ２２及び子機マイク２３を能動状態として、この子機スピーカ２２及び子機マイク２３から子機通信部３０までの通話路を形成する（第１通話路形成動作）。そして、人感センサ２８から感知信号を入手しない状態、即ち子機２ｂから被呼者が離れている状態では、外部スピーカ４及び子機マイク２３を能動状態として、外部スピーカ４及び子機マイク２３から子機通信部３０までの通話路を形成する（第２通話路形成動作）。こうして、親機１からの放送を受けて子機２ｂを操作すると応答操作された子機２ｂと親機１の間で通話路が形成され応答が可能となり、双方の間で通話が実施される。
【００６０】
尚、子機ＣＰＵ２９は、第２通話路形成動作を実施する場合、通話部２４を介して子機マイク２３の感度、及び外部スピーカ４が報音する音量を変更する。具体的に、第２通話路形成動作を実施する場合、子機マイク２３の感度を上げると共に、外部スピーカ４の音量を放送時より小さくする。
【００６１】
このように、子機２ｂの子機スピーカ２２に加えて外部スピーカ４が連動して放送を報音するので、子機スピーカ２２でカバーできない範囲まで放送することができ、子機２ｂから離れた場所に被呼者がいる場合でも放送内容を認識し易くなる。そして、人感センサ２８により被呼者の位置を判断し、子機スピーカ２２を使用する第１通話路形成動作と外部スピーカ４を使用する第２通話路形成動作の一方を選択するので、通話する両者が聞き取りやすい方の組を使用するよう制御し、騒音の大きい環境であってもスムーズな通話を実現でき利便性が良い。そして、人感センサ２８を使用することで、応答する被呼者の子機２ｂからの距離を的確に把握できる。
更に、外部スピーカ４を使用する通話時は、放送時よりも外部スピーカ４の音量が小さくなるため、周囲に対する騒音を抑制できるし、応答する被呼者も大音量によるストレスが無くなる。また、被呼者が子機２ｂから離れている場合は、マイク感度が上がるので、放送元の親機１へ伝送される音声が小さくて聞き取り難い事態を防止できる。
【００６２】
尚、上記実施の形態は何れも、親機１が１台、子機２、２ａ，２ｂが２台接続されたシステムについて説明したが、親機１の数、子機２，２ａ，２ｂの数は任意であり、設置する施設の規模や間取りに併せて決定すれば良い。
【符号の説明】
【００６３】
１・・親機、２，２ａ，２ｂ・・子機、３・・制御機、４・・外部スピーカ、５・・外部マイク、６・・外部呼出ボタン、１１・・操作部、１２・・親機スピーカ（送話部）、１３・・親機マイク（受話部）、１５・・親機ＣＰＵ、２１・・操作部（応答手段）、２２・・子機スピーカ（送話部）、２３・・子機マイク（受話部）、２８・・人感センサ、２９・・子機ＣＰＵ（切換制御部）、２９ａ・・レベル比較部、３３・・制御機ＣＰＵ。
【図１】
2011097281.tif 000003
【図２】
2011097281.tif 000004
【図３】
2011097281.tif 000005
【図４】
2011097281.tif 000006